(57)【要約】【課題】装着状態の情報を音響再生装置へ提供することができる装着式音響出力装置を提供する。【解決手段】イヤホン１が耳に装着されているか否かを検出するための接点スイッチ４を設け、イヤホン１が耳に装着されているか否かを示す装着状態情報を、接点スイッチ４のＯＮ／ＯＦＦ動作により音響再生装置７へ提供する。【選択図】    図１
2004153350.tif 000002
【特許請求の範囲】
【請求項１】
音響信号ラインを介して音響再生装置と接続可能であり、かつ耳に装着して使用される装着式音響出力装置であって、当該装着式音響出力装置が耳に装着されているか否かの装着状態を検出するための装着検出手段と、この装着状態に応じた装着状態情報を音響再生装置に提供するための装着状態情報提供手段とを備えることを特徴とする装着式音響出力装置。
【請求項２】
音響信号ラインを介して請求項１記載の装着式音響出力装置と接続可能であり、かつ音響を再生する音響再生装置であって、前記装着状態情報を取得する装着状態情報取得手段と、装着式音響出力装置の装着状態と当該音響再生装置の動作状態の対応をあらかじめ記憶する記憶手段とを備え、前記記憶手段に記憶されている対応関係に基づき、接続されている装着式音響出力装置の装着状態に応じた動作状態となることを特徴とする音響再生装置。
【請求項３】
請求項２記載の音響再生装置であって、前記記憶手段が記憶する装着式音響出力装置の装着状態と当該音響再生装置の動作状態の対応を変更するための入力手段を備えることを特徴とする音響再生装置。
【請求項４】
請求項２もしくは３のいずれかに記載の音響再生装置であって、前記装着状態情報取得手段が取得する装着状態情報から当該音響再生装置に接続されている装着式音響出力装置の装着状態の変化を捉える検知手段を備え、前記検知手段により装着状態の変化を捉えた後、この変化後の装着状態のまま所定時間が経過したとき、この変化後の装着状態に対応する動作状態へ遷移することを特徴とする音響再生装置。
【請求項５】
請求項４記載の音響再生装置であって、前記所定時間を変更するための入力手段を備えることを特徴とする音響再生装置。
【請求項６】
音響信号ラインを介して音響再生装置と接続可能であり、かつ耳に装着して使用される装着式音響出力装置であって、当該装着式音響出力装置がステレオタイプであるか、あるいはＲモノラルタイプであるか、Ｌモノラルタイプであるかを示す形式情報を音響再生装置に提供するための形式情報提供手段を備えることを特徴とする装着式音響出力装置。
【請求項７】
音響信号ラインを介して請求項６記載の装着式音響出力装置と接続可能であり、かつ音響を再生する音響再生装置であって、前記形式情報を取得する形式情報取得手段と、装着式音響出力装置の形式と当該音響再生装置の動作状態の対応をあらかじめ記憶する記憶手段とを備え、前記記憶手段に記憶されている対応関係に基づき、接続されている装着式音響出力装置の形式に応じた動作状態となることを特徴とする音響再生装置。
【請求項８】
請求項７記載の音響再生装置であって、前記記憶手段が記憶する装着式音響出力装置の形式と当該音響再生装置の動作状態の対応を変更するための入力手段を備えることを特徴とする音響再生装置。
【請求項９】
請求項１記載の装着式音響出力装置であって、当該装着式音響出力装置がステレオタイプであるか、あるいはＲモノラルタイプであるか、Ｌモノラルタイプであるかを示す形式情報を音響再生装置に提供するための形式情報提供手段を備えることを特徴とする装着式音響出力装置。
【請求項１０】
前記装着状態情報と前記形式情報を一つの信号線により提供可能にすることを特徴とする請求項９記載の装着式音響出力装置。
【請求項１１】
音響信号ラインを介して請求項９もしくは１０のいずれかに記載の装着式音響出力装置と接続可能であり、かつ音響を再生する音響再生装置であって、前記装着状態情報を取得する装着状態情報取得手段と、前記形式情報を取得する形式情報取得手段と、装着式音響出力装置の装着状態と当該音響再生装置の動作状態の対応を装着式音響出力装置の形式ごとにあらかじめ記憶する記憶手段とを備え、前記記憶手段に記憶されている対応関係に基づき、接続されている装着式音響出力装置の形式および装着状態に応じた動作状態となることを特徴とする音響再生装置。
【請求項１２】
請求項１１記載の音響再生装置であって、前記記憶手段が記憶する装着式音響出力装置の装着状態と当該音響再生装置の動作状態の装着式音響出力装置の形式ごとの対応を変更するための入力手段を備えることを特徴とする音響再生装置。
【請求項１３】
請求項１１もしくは１２のいずれかに記載の音響再生装置であって、前記装着状態情報取得手段が取得する装着状態情報から当該音響再生装置に接続されている装着式音響出力装置の装着状態の変化を捉える検知手段を備え、前記検知手段により装着状態の変化を捉えた後、この変化後の装着状態のまま所定時間が経過したとき、この変化後の装着状態に対応する動作状態へ遷移することを特徴とする音響再生装置。
【請求項１４】
請求項１３記載の音響再生装置であって、前記所定時間を変更するための入力手段を備えることを特徴とする音響再生装置。
【発明の詳細な説明】
【０００１】
【発明の属する技術分野】
本発明は、イヤホンやクリップ式ヘッドホンなどの耳に装着して使用される装着式音響出力装置、およびＣＤポータブルプレーヤーやＭＤポータブルプレーヤーなどの装着式音響出力装置と接続可能な音響再生装置に関する。
【０００２】
【従来の技術】
以下、イヤホンやクリップ式ヘッドホンなどの耳に装着して使用される従来の装着式音響出力装置（例えば、特許文献１参照。）と、ＣＤポータブルプレーヤーやＭＤポータブルプレーヤーなどの従来の音響再生装置について説明する。
【０００３】
一般に市販流通している従来の装着式音響出力装置と音響再生装置は、周知のように、装着式音響出力装置を音響再生装置に接続し音響再生装置を再生状態に設定すると、音響再生装置が再生する音響を装着式音響出力装置がそのまま出力していた。
【０００４】
しかしながら、従来の音響再生装置は、装着式音響出力装置が耳に装着されているか否かにかかわらず、再生状態が設定されているとそのまま音響の再生を行っていた。そのため、例えば、装着式音響出力装置を耳に装着していないにもかかわらず、停止ボタンの押し忘れにより、音響再生装置が音響再生を続け、余分な電力を消費するなどの問題があった。
【０００５】
また、従来の音響再生装置は、接続されている装着式音響出力装置がステレオタイプであるのか、モノラルタイプであるのかによって再生状態を変更することがなかった。そのため、例えば、ステレオ再生に設定されている音響再生装置は、モノラルタイプの装着式音響出力装置が接続されてもステレオ再生を行うため、余分な電力を消費するなどの問題があった。
【０００６】
【特許文献１】
特開平６−３５１０８９号公報（第１図）
【０００７】
【発明が解決しようとする課題】
本発明は、上記問題点に鑑み、耳に装着されているか否かを検出するための手段と、この検出した装着状態に応じた装着状態情報を音響再生装置へ提供するための手段を備えることにより、装着状態の情報を音響再生装置へ提供することができる装着式音響出力装置を提供することを目的とする。
【０００８】
また、装着式音響出力装置の装着状態に対応する動作状態をあらかじめ記憶しておき、装着式音響出力装置から提供された耳に装着されているか否かを示す装着状態情報を取得すると、記憶してある対応関係に従う動作状態へ遷移することにより、接続されている装着式音響出力装置の装着状態に応じた適切な動作状態へ遷移することができるようになり、例えば、装着式音響出力装置を耳に装着していないにもかかわらず、停止ボタンの押し忘れにより、音響再生を続けるなどといった無駄な動作をなくし、余分な電力の消費を防止することが可能となる音響再生装置を提供することを目的とする。
【０００９】
また、ステレオタイプとモノラルタイプのいずれの形式の装着式音響出力装置であるのかを示す形式情報を音響再生装置へ提供するための手段を備えることにより、形式の情報を音響再生装置へ提供することができる装着式音響出力装置を提供することを目的とする。
【００１０】
また、装着式音響出力装置の形式に対応する動作状態をあらかじめ記憶しておき、装着式音響出力装置から提供された形式の情報を取得すると、記憶してある対応関係に従う動作状態へ遷移することにより、接続されている装着式音響出力装置の形式に応じた適切な動作状態へ遷移することができるようになり、例えば、モノラルタイプの装着式音響出力装置を接続しているにも拘わらずステレオ再生を行うなどといった無駄な動作をなくし、余分な電力の消費を防止することが可能となる音響再生装置を提供することを目的とする。
【００１１】
【課題を解決するための手段】
本発明の請求項１記載の装着式音響出力装置は、音響信号ラインを介して音響再生装置と接続可能であり、かつ耳に装着して使用される装着式音響出力装置であって、当該装着式音響出力装置が耳に装着されているか否かの装着状態を検出するための装着検出手段と、この装着状態に応じた装着状態情報を音響再生装置に提供するための装着状態情報提供手段とを備えることを特徴とする。
【００１２】
本発明の請求項２記載の音響再生装置は、音響信号ラインを介して請求項１記載の装着式音響出力装置と接続可能であり、かつ音響を再生する音響再生装置であって、前記装着状態情報を取得する装着状態情報取得手段と、装着式音響出力装置の装着状態と当該音響再生装置の動作状態の対応をあらかじめ記憶する記憶手段とを備え、前記記憶手段に記憶されている対応関係に基づき、接続されている装着式音響出力装置の装着状態に応じた動作状態となることを特徴とする。
【００１３】
本発明の請求項３記載の音響再生装置は、請求項２記載の音響再生装置であって、前記記憶手段が記憶する装着式音響出力装置の装着状態と当該音響再生装置の動作状態の対応を変更するための入力手段を備えることを特徴とする。
【００１４】
本発明の請求項４記載の音響再生装置は、請求項２もしくは３のいずれかに記載の音響再生装置であって、前記装着状態情報取得手段が取得する装着状態情報から当該音響再生装置に接続されている装着式音響出力装置の装着状態の変化を捉える検知手段を備え、前記検知手段により装着状態の変化を捉えた後、この変化後の装着状態のまま所定時間が経過したとき、この変化後の装着状態に対応する動作状態へ遷移することを特徴とする。
【００１５】
本発明の請求項５記載の音響再生装置は、請求項４記載の音響再生装置であって、前記所定時間を変更するための入力手段を備えることを特徴とする。
本発明の請求項６記載の装着式音響出力装置は、音響信号ラインを介して音響再生装置と接続可能であり、かつ耳に装着して使用される装着式音響出力装置であって、当該装着式音響出力装置がステレオタイプであるか、あるいはＲモノラルタイプであるか、Ｌモノラルタイプであるかを示す形式情報を音響再生装置に提供するための形式情報提供手段を備えることを特徴とする。
【００１６】
本発明の請求項７記載の音響再生装置は、音響信号ラインを介して請求項６記載の装着式音響出力装置と接続可能であり、かつ音響を再生する音響再生装置であって、前記形式情報を取得する形式情報取得手段と、装着式音響出力装置の形式と当該音響再生装置の動作状態の対応をあらかじめ記憶する記憶手段とを備え、前記記憶手段に記憶されている対応関係に基づき、接続されている装着式音響出力装置の形式に応じた動作状態となることを特徴とする。
【００１７】
本発明の請求項８記載の音響再生装置は、請求項７記載の音響再生装置であって、前記記憶手段が記憶する装着式音響出力装置の形式と当該音響再生装置の動作状態の対応を変更するための入力手段を備えることを特徴とする。
【００１８】
本発明の請求項９記載の装着式音響出力装置は、請求項１記載の装着式音響出力装置であって、当該装着式音響出力装置がステレオタイプであるか、あるいはＲモノラルタイプであるか、Ｌモノラルタイプであるかを示す形式情報を音響再生装置に提供するための形式情報提供手段を備えることを特徴とする。
【００１９】
本発明の請求項１０記載の装着式音響出力装置は、請求項９記載の装着式音響出力装置であって、前記装着状態情報と前記形式情報を一つの信号線により提供可能にすることを特徴とする。
【００２０】
本発明の請求項１１記載の音響再生装置は、音響信号ラインを介して請求項９もしくは１０のいずれかに記載の装着式音響出力装置と接続可能であり、かつ音響を再生する音響再生装置であって、前記装着状態情報を取得する装着状態情報取得手段と、前記形式情報を取得する形式情報取得手段と、装着式音響出力装置の装着状態と当該音響再生装置の動作状態の対応を装着式音響出力装置の形式ごとにあらかじめ記憶する記憶手段とを備え、前記記憶手段に記憶されている対応関係に基づき、接続されている装着式音響出力装置の形式および装着状態に応じた動作状態となることを特徴とする。
【００２１】
本発明の請求項１２記載の音響再生装置は、請求項１１記載の音響再生装置であって、前記記憶手段が記憶する装着式音響出力装置の装着状態と当該音響再生装置の動作状態の装着式音響出力装置の形式ごとの対応を変更するための入力手段を備えることを特徴とする。
【００２２】
本発明の請求項１３記載の音響再生装置は、請求項１１もしくは１２のいずれかに記載の音響再生装置であって、前記装着状態情報取得手段が取得する装着状態情報から当該音響再生装置に接続されている装着式音響出力装置の装着状態の変化を捉える検知手段を備え、前記検知手段により装着状態の変化を捉えた後、この変化後の装着状態のまま所定時間が経過したとき、この変化後の装着状態に対応する動作状態へ遷移することを特徴とする。
【００２３】
本発明の請求項１４記載の音響再生装置は、請求項１３記載の音響再生装置であって、前記所定時間を変更するための入力手段を備えることを特徴とする。
以上のように、本発明によれば、装着式音響出力装置が耳に装着されているか否かを示す装着状態情報を音響再生装置へ提供することが可能となり、音響再生装置は、この装着状態情報に基づいて、例えば装着式音響出力装置が未装着の状態では音響再生を停止するといったように、装着式音響出力装置の装着状態に応じた効率的な動作状態へ自動的に遷移することが可能となるので、装着状態によっては不必要となる無駄な動作をなくし、余分な電力の消費を防止することが可能となる。
【００２４】
また、装着式音響出力装置がステレオタイプ、Ｒモノラルタイプ、Ｌモノラルタイプのいずれの形式であるかを示す形式情報を音響再生装置へ提供することが可能となり、音響再生装置は、この形式情報に基づいて、装着式音響出力装置の形式に応じた動作状態へ自動的に遷移することが可能となる。つまり、ステレオタイプの装着式音響出力装置が接続されたときにはステレオ再生状態へ、モノラルタイプの装着式音響出力装置が接続されたときにはモノラル再生状態へ自動的に遷移することが可能となるので、モノラルタイプの装着式音響出力装置が接続されているにも拘わらずステレオ再生を行うといった無駄な動作をなくし、余分な電力の消費を防止することが可能となる。
【００２５】
また、装着式音響出力装置の装着状態の情報と形式の情報を共に音響再生装置へ提供することが可能となり、音響再生装置は、この装着状態の情報と形式の情報に基づいて、形式および装着式音響出力装置の装着状態に応じた効率的な動作状態へ自動的に遷移することが可能となるので、形式や装着状態によっては不必要となる無駄な動作をなくし、余分な電力の消費を防止することが可能となる。
【００２６】
【発明の実施の形態】
以下、本発明の実施の形態による装着式音響出力装置、および音響再生装置について、図面を参照しながら説明する。なお、ここで示す実施の形態はあくまでも一例であって、必ずしも以下の実施の形態に限定されるものではない。
【００２７】
まず、本実施の形態における装着式音響出力装置から音響再生装置への装着状態情報（装着式音響出力装置が耳に装着されているか否かを示す情報）の提供について図１を用いて説明する。図１において、１は耳に装着して使用されるイヤホンであり、音響を出力するためのスピーカー２を備えている。
【００２８】
３は耳介、４はイヤホン１が耳に装着されているか否かを検出するための装着検出手段としての接点スイッチであって、イヤホン１を耳に装着したとき耳介３と接触するよう構成されている。
【００２９】
５はＧＮＤライン、６はスピーカー２へ音響信号を入力する音響信号ライン、７はＣＤポータブルプレーヤーやＭＤポータブルプレーヤーなどの音響再生装置、８は装着状態情報を音響再生装置へ提供するための装着状態情報提供手段としての状態信号ラインである。
【００３０】
９はイヤホン１と音響再生装置７とを接続するためのプラグ部であり、音響再生装置７が再生する音響信号を音響信号ライン６へ入力する音響信号入力端子１０と、状態信号ライン９を音響再生装置７に接続するための状態信号出力端子１１からなる。
【００３１】
なお、ここでは、片方の耳に装着して使用するモノラルタイプのイヤホンを用いて説明する。
このように、図１に示す装着式音響出力装置は、接点スイッチ（装着検出手段）４と状態信号ライン（装着状態情報提供手段）９を具備し、この接点スイッチ４のＯＮ／ＯＦＦ動作によって、イヤホンが耳に装着されているか否かを示す装着状態情報を音響再生装置へ提供する。
【００３２】
音響再生装置７にこの接点スイッチ４のＯＮ／ＯＦＦ動作を認識させるための構成としては、例えば、装着式音響出力装置の状態信号出力端子１０と音響再生装置７とを接続したとき、状態信号ライン９が音響再生装置７の内部電源ラインと接続されるように構成する。このように構成すれば、接点スイッチ４のＯＮ／ＯＦＦ動作に応じて状態信号ライン９の電位を変化させることが可能となるので、音響再生装置７に接点スイッチ４のＯＮ／ＯＦＦ動作を認識させることが可能となる。
【００３３】
すなわち、イヤホン１を耳に装着し接点スイッチ４が耳介３からの圧力により押されたときにはＧＮＤライン５と状態信号ライン９が接続され、未装着のときには状態信号ライン９の一方端が開放状態となるように構成することで、状態信号ライン９（状態信号出力端子１０）の電位をイヤホン１の装着状態（接点スイッチ４のＯＮ／ＯＦＦ動作）に応じて変化させる。なお、無論、接点スイッチ４が耳介３からの圧力により押されたときにＧＮＤライン５と状態信号ライン９の接続が切れ、状態信号ライン９の一方端が開放状態となるように構成してもよい。
【００３４】
音響再生装置７は、この状態信号ライン９（状態信号出力端子１０）の電位の情報をＣＰＵなどの図示しない制御手段（装着状態情報取得手段）にて取得し、この電位に応じて、すなわち装着式音響出力装置の装着状態に応じて動作状態を遷移するよう構成する。例えば、イヤホン１の装着時と未装着時における状態信号ライン９の電位を二値信号（信号レベルがＨｉｇｈとＬｏｗの信号）に置換する手段を設け、制御手段がこの二値信号の信号レベル状態に応じて動作状態を遷移するよう構成すればよい。
【００３５】
なお、音響再生装置７に接点スイッチ４のＯＮ／ＯＦＦ動作を取得させるための構成として、状態信号ライン９を音響再生装置７の内部電源ラインと接続させる構成を説明したが、これに限らず、状態信号出力端子１０が設置されるプラグ部９内に電源を設けるなどして、音響再生装置７の内部電源以外から電源が供給されるようにしてもよい。
【００３６】
以上のように、本実施の形態によれば、接点スイッチのＯＮ／ＯＦＦ動作により状態信号ラインの電位を変化させることで、装着状態情報を音響再生装置へ提供することが可能となる。
【００３７】
なお、接点スイッチの構成と取り付け位置は、イヤホンを耳に装着したときに接点スイッチが耳介からの圧力により押されるようにすればよい。
また、ここでは、片方の耳に装着して使用するモノラルタイプのイヤホンを用いて説明したが、無論、両方の耳に装着して使用するステレオタイプのものにおいても、同様に、両側のイヤホンに接点スイッチと状態信号ラインを設ければよく、音響再生装置は、両方の状態信号ラインの電位の情報を取得し、この両方の電位の組み合わせに応じて動作状態を遷移するように構成すればよい。
【００３８】
続いて、本実施の形態における装着式音響出力装置から音響再生装置への形式情報の提供について図２を用いて説明する。図２において、５ａ、６ａ、８ａ、１１ａはＲ側イヤホン用のＧＮＤライン、音響信号ライン、状態信号ライン、状態信号出力端子であり、５ｂ、６ｂ、８ｂ、１１ｂはＬ側イヤホン用のＧＮＤライン、音響信号ライン、状態信号ライン、状態信号出力端子である。このように当該装着式音響出力装置は、両方の耳に装着して使用するステレオタイプであり、Ｒ側、Ｌ側のイヤホンそれぞれの装着状態情報（装着式音響出力装置が耳に装着されているか否かを示す情報）を音響再生装置が具備する装着状態情報取得手段へ提供する構成となっている。
【００３９】
図２に示す装着式音響出力装置は、形式がステレオタイプであることを示す形式情報を音響再生装置へ提供するための形式情報提供手段として、ＧＮＤラインと常時接続されているＲチャネル認識用ライン１２ａおよびＬチャネル認識用ライン１２ｂを具備するとともに、Ｒチャネル認識用ライン１２ａを音響再生装置７に接続するためのＲチャネル認識用端子１３ａ、Ｌチャネル認識用ライン１２ｂを音響再生装置７に接続するためのＬチャネル認識用端子１３ｂを具備し、音響再生装置７にＲチャネル認識用ライン１２ａとＬチャネル認識用ライン１２ｂを認識させることで、形式がステレオタイプであるという形式情報を提供する。
【００４０】
音響再生装置にチャネル認識用ラインを認識させるための構成としては、例えば、装着式音響出力装置のチャネル認識用端子と音響再生装置とを接続したとき、チャネル認識用ラインが音響再生装置７の内部電源ラインと接続されるように構成する。このように構成すれば、音響再生装置側の図示しないＲチャネル認識用ライン用の信号線（接続端子）と図示しないＬチャネル認識用ライン用の信号線（接続端子）の電位が、チャネル認識用ラインの接続時と未接続時で変化するようになるので、音響再生装置にチャネル認識用ラインを認識させることが可能となる。
【００４１】
音響再生装置７は、Ｒ側用、Ｌ側用の両方の信号線の電位の情報をＣＰＵなどの図示しない制御手段（形式情報取得手段）にて取得し、両方の信号線の電位が通常の電位（チャネル認識用ラインが接続されていない状態での電位）から変化したときにはステレオ再生を行う動作状態へ遷移するよう構成する。例えば、チャネル認識用ラインの接続時と未接続時における接続端子の電位を二値信号（信号レベルがＨｉｇｈとＬｏｗの信号）に置換する手段を設け、制御手段がこの二値信号の信号レベル状態に応じて動作状態を遷移するよう構成すればよい。
【００４２】
なお、音響再生装置７にチャネル認識用ラインを認識させるための構成として、チャネル認識用ラインを音響再生装置７の内部電源ラインと接続させる構成を説明したが、これに限らず、チャネル認識用端子が設置されるプラグ部９内に電源を設けるなどして、音響再生装置７の内部電源以外から電源が供給されるようにしてもよい。
【００４３】
以上のように、ステレオタイプの装着式音響出力装置においては、Ｒ側とＬ側両方のチャネル認識用ラインを設けたが、Ｒモノラルタイプの場合には形式情報提供手段としてＧＮＤラインと常時接続されているＲチャネル認識用ラインのみを設け、Ｌモノラルタイプの場合には形式情報提供手段としてＧＮＤラインと常時接続されているＬチャネル認識用ラインのみを設けるようにすればよい。
【００４４】
音響再生装置は、両方のチャネル認識用ライン用信号線の電位の情報を取得し、この電位の情報に応じた、つまり装着式音響出力装置の形式に応じた動作状態へ遷移するよう構成する。すなわち、両方のチャネル認識用ライン用信号線の電位が変化すれば、ステレオ再生状態へ遷移し、Ｒ側用の信号線のみが変化すれば、Ｒモノラル再生状態へ遷移し、Ｌ側用の信号線のみが変化すれば、Ｌモノラル再生状態へ遷移するよう構成する。
【００４５】
以上のように、本実施の形態においては、両方の耳に装着して使用するステレオタイプのイヤホンを用いた装着式音響出力装置には、Ｒ側、Ｌ側両方のチャネル認識用ラインを設け、Ｒモノラルタイプであれば、Ｒチャネル認識用ラインのみを設け、Ｌモノラルタイプであれば、Ｌチャネル認識用ラインのみを設け、形式に応じて、音響再生装置側の二本の信号線の電位を制御することで、形式情報を音響再生装置へ提供することが可能となる。
【００４６】
続いて、本実施の形態における同一信号線（一つの信号線）による装着状態情報（装着式音響出力装置が耳に装着されているか否かを示す情報）と形式情報（装着式音響出力装置がステレオタイプ、Ｒモノラルタイプ、Ｌモノラルタイプのいずれのタイプであるかを示す情報）の提供について図３を用いて説明する。図３に示すように、ここでは、両方の耳に装着して使用するステレオタイプのイヤホンを用いて説明する。
【００４７】
本実施の形態では、各イヤホン１ａ、１ｂに設けられた接点スイッチ４ａ、４ｂが、一方端がＧＮＤラインに、もう一方端が同一信号線（状態信号ライン１７）に接続される並列接続の関係となるようにし、状態信号ライン１７を音響再生装置７に接続したとき、音響再生装置７の内部電源ライン１５と接続されるように構成する。このような構成とすれば、各接点スイッチに直列に接続される抵抗１４ａ、１４ｂと内部電源ライン１５に直列に接続されるプルアップ抵抗１６の抵抗分圧により、状態信号ライン１７の電位が、各接点スイッチのＯＮ／ＯＦＦ動作に応じて、すなわち装着式音響出力装置の装着状態に応じて以下のように変化する。
【００４８】
Ｒ側イヤホン１ａとＬ側イヤホン１ｂの接点スイッチ４ａ、４ｂがともにＯＦＦの状態では、状態信号ライン１７の電位は内部電源ライン１５と等しい状態となる。また、Ｒ側イヤホン１ａの接点スイッチ４ａのみがＯＮの状態においては、プルアップ抵抗１６と抵抗１４ａにより分圧された電位となり、Ｌ側イヤホン１ｂの接点スイッチ４ｂのみがＯＮの状態においては、プルアップ抵抗１６と抵抗１４ｂにより分圧された電位となる。また、Ｒ側イヤホン１ａとＬ側イヤホン１ｂがともにＯＮの状態では、プルアップ抵抗１６と、抵抗１４ａと抵抗１４ｂを並列接続したときの合成抵抗とにより分圧された電位となる。
【００４９】
ここで、各接点スイッチのＯＮ／ＯＦＦの組み合わせに応じて、すなわち装着式音響出力装置の装着状態（各イヤホンの装着状態の組み合わせ）に応じて状態信号ライン１７の電位が異なる値となるように抵抗１４ａと抵抗１４ｂの抵抗値を決定すれば、装着式音響出力装置の装着状態に応じて状態信号ライン１７の電位を異なる値とすることができる。
【００５０】
また、片方の耳に装着して使用するモノラルタイプのイヤホンにおいても、同様に、イヤホンが未装着の状態における状態信号ラインの電位と、装着されている状態における電位とを異なる値とすることができる。
【００５１】
また、さらに、ステレオタイプの装着式音響出力装置におけるそれぞれの状態での状態信号ラインの電位と、モノラルタイプの装着式音響出力装置におけるそれぞれの状態での状態信号ラインの電位がそれぞれ異なる値となるように抵抗値を決定すれば、形式ごとに、かつ装着状態に応じて状態信号ライン１７の電位を異なる値とすることができる。
【００５２】
このように、本実施の形態では、装着式音響出力装置の形式ごとに、かつ装着状態に応じて状態信号ライン１７の電位が異なる値となるように構成し、この一本の状態信号ライン１７の電位の情報によって、装着状態情報と形式情報を提供する。
【００５３】
また、音響出力再生装置は、この状態信号ライン１７の電位の情報をＣＰＵなどの図示しない制御手段（装着状態情報取得手段）にて取得すると、この電位に応じて、すなわち装着式音響出力装置の形式と装着状態に応じて動作状態を遷移するよう構成する。
【００５４】
以上のように、本実施の形態によれば、装着式音響出力装置の形式と装着状態に応じて同一信号線の電位の値を相異ならせることができるので、装着状態情報を提供するための信号線と形式情報を提供するための信号線を１本にすることが可能となり、装着式音響出力装置と音響再生装置の外部接続端子などの構成素子を減らすことができる。
【００５５】
なお、音響再生装置７の内部電源ライン１５から電源が供給されるように構成したが、これに限らず、状態信号ライン１７と音響再生装置７を接続するための状態信号出力端子（図示せず）が設置されるプラグ部（図示せず）内に電源を設けるなどして、音響再生装置７の内部電源以外から電源が供給されるようにしてもよい。
【００５６】
なお、ここまではイヤホンを用いた装着式音響出力装置について説明してきたが、無論、イヤホンに限るものではなく、装着式音響出力装置の装着状態に応じて（装着式音響出力装置が耳に装着されているか否かに応じて）接点スイッチのＯＮ／ＯＦＦが変化すればよい。
【００５７】
図４に本実施の形態におけるクリップ式ヘッドホンを用いた装着式音響出力装置の構成の概略を示す。図４において、１８は耳へ装着するためのクリップ、１９は凹状の接点スイッチ、２０は凹状の接点スイッチ１９を押すためにクリップ１８に設けた突起である。
【００５８】
また、図４（ａ）はクリップ式ヘッドホンが耳に装着されていない状態を示し、図４（ｂ）はクリップ式ヘッドホンが耳に装着されている状態を示している。図４（ａ）、（ｂ）に示すように、未装着時にはクリップ１８が閉じた状態となり、凹状の接点スイッチ１９はクリップ１８上の突起２０により押された状態となる。また、装着時には開いた状態となるので、凹状の接点スイッチ１９は押されていない状態となる。
【００５９】
以上のような構成とすれば、クリップの開閉によって接点スイッチのＯＮ／ＯＦＦを変化させることが可能となるので、クリップ式ヘッドホンにおいても装着状態の情報を提供することが可能となる。
【００６０】
なお、凹状の接点スイッチと突起の構成と取り付け位置は、クリップが閉じた状態で凹状の接点スイッチが突起により押され、開いた状態で押されなくなるようにすればよい。
【００６１】
続いて、本実施の形態における音響再生装置の動作状態遷移について図５、６を用いて説明する。当該音響再生装置には、装着式音響出力装置の装着状態と当該音響再生装置の動作状態との対応が装着式音響出力装置の形式ごとにあらかじめ記憶された図示しない記憶手段が設けられており、図示しない制御手段（装着状態情報取得手段および形式情報取得手段）が、このあらかじめ記憶されている動作状態遷移に従って動作状態を遷移するよう構成されている。つまり当該音響再生装置は、接続されている装着式音響出力装置から装着状態情報と形式情報を取得すると、あらかじめ記憶されている動作状態遷移に従い、この取得した情報に対応する動作状態へ遷移するよう構成されている。
【００６２】
なお、装着式音響出力装置の装着状態とは、装着式音響出力装置がモノラルタイプであれば、装着／未装着の状態を指し、ステレオタイプであれば、各装着式音響出力装置それぞれの装着／未装着の状態の組み合わせすべてを指すものとする。つまり、ステレオタイプの装着式音響出力装置の装着状態には、両側がともに装着されている状態と装着されていない状態、および、いずれか一方側が装着されておりもう一方側が装着されていない状態がある。
【００６３】
以下、まずステレオタイプの装着式音響出力装置が接続された場合の動作状態遷移について詳説する。図５は、ステレオタイプの装着式音響出力装置に対する動作状態遷移を示す図である。
【００６４】
図５において、５０はステレオ再生状態、５１は一時停止状態、５２はステレオ再生かつ未装着側チャネルミュート状態、５３は装着側片チャネル再生状態、５４は再生動作停止かつスタンバイ状態である。
【００６５】
ステレオタイプの装着式音響出力装置が接続され、音響再生装置の使用者により音響再生が設定されると、ステレオ再生状態５０となる。このステレオ再生状態５０において、Ｒ側とＬ側両方の装着式音響出力装置を未装着状態にすると、一時停止状態５１に遷移し（遷移５５）、音響再生を一時停止する。そして、この一時停止状態５１において、所定時間内にＲ側とＬ側両方の装着式音響出力装置を再び装着すると、ステレオ再生状態５０へ遷移し（遷移５６）、ステレオ再生を再開する。所定時間を経過すると、再生動作停止かつスタンバイ状態５４へ遷移し（遷移５７）、音響再生を停止してスタンバイ状態となる。
【００６６】
この再生動作停止かつスタンバイ状態５４において、Ｒ側とＬ側両方の装着式音響出力装置を再び装着すると、ステレオ再生状態５０へ遷移し（遷移６５）、ステレオ再生を再開する。Ｒ側もしくはＬ側のいずれか一方の装着式音響出力装置のみを装着すると（片チャネル未装着状態）、ステレオ再生かつ未装着側チャネルミュート状態５２に遷移し（遷移６６）、ステレオ再生を再開し、かつ未装着側の装着式音響出力装置へ音響信号が出力されないようにする。
【００６７】
また、ステレオ再生状態５０において、Ｒ側もしくはＬ側のいずれか一方の装着式音響出力装置を未装着状態（片チャネル未装着状態）にすると、ステレオ再生かつ未装着側チャネルミュート状態５２に遷移し（遷移５８）、未装着側の装着式音響出力装置へ音響信号が出力されないようにして音漏れを防止する。そして、このステレオ再生かつ未装着側チャネルミュート状態５２において、所定時間内に未装着側の装着式音響出力装置を再び装着すると、ステレオ再生状態５０へ遷移し（遷移５９）、両側の装着式音響出力装置へ音響信号が出力されるようにする。所定時間を経過すると、装着側片チャネル再生状態５３へ遷移し（遷移６０）、装着側の音響信号のみ再生するモノラル再生状態となる。
【００６８】
また、ステレオ再生かつ未装着側チャネルミュート状態５２において、所定時間内に装着されている装着式音響出力装置の方も未装着状態にすると、一時停止状態５１に遷移し（遷移６１）、音響再生を一時停止する。そして、この一時停止状態５１において、所定時間内にＲ側とＬ側のいずれか一方の装着式音響出力装置を装着すると、ステレオ再生かつ未装着側チャネルミュート状態５２へ遷移する（遷移６２）。
【００６９】
また、装着側片チャネル再生状態５３において、装着されている装着式音響出力装置の方も未装着状態にすると、やはり一時停止状態５１に遷移する（遷移６３）。
【００７０】
また、装着側片チャネル再生状態５３において、未装着側の装着式音響出力装置を装着すると、ステレオ再生状態５０へ遷移し（遷移６４）、ステレオ再生を再開する。
【００７１】
続いて、モノラルタイプの装着式音響出力装置が接続された場合の動作状態遷移について詳説する。図６は、モノラルタイプの装着式音響出力装置に対する動作状態遷移を示す図である。
【００７２】
図６において、７０は片チャネル再生状態であり、装着式音響出力装置の形式に応じて、Ｒ側もしくはＬ側のいずれか一方のモノラル再生を行う状態である。７１は一時停止状態、７２は再生動作停止かつスタンバイ状態である。モノラルタイプの装着式音響出力装置が接続され、音響再生装置の使用者により音響再生が設定されると、片チャネル再生状態７０となる。この片チャネル再生状態７０において、装着式音響出力装置を未装着状態とすると、一時停止状態７１に遷移し（遷移７３）、音響再生を一時停止する。そして、この一時停止状態７１において、所定時間内に装着式音響出力装置を再び装着すると、片チャネル再生状態７０へ遷移し（遷移７４）、モノラル再生を再開する。所定時間を経過すると、再生動作停止かつスタンバイ状態７２へ遷移し（遷移７５）、音響再生を停止してスタンバイ状態となる。
【００７３】
この再生動作停止かつスタンバイ状態７２において、装着式音響出力装置を再び装着すると、片チャネル再生状態７０へ遷移し（遷移７６）、モノラル再生を再開する。
【００７４】
以上のように、本実施の形態によれば、音響再生装置は、装着式音響出力装置の形式および装着状態に適した動作状態へ遷移するので、形式および装着状態によっては不必要となる無駄な動作をなくし、余分な電力の消費を防止することが可能となる。
【００７５】
続いて、装着式音響出力装置が装着状態から未装着状態へ変化したときの音響再生装置の動作状態遷移について図７を用いて説明する。すなわち、図５に示す一時停止状態５１へ遷移したとき（遷移５５、６１、６３）とステレオ再生かつ未装着側チャネルミュート状態５２へ遷移したとき（遷移５９、６２、６６）の動作状態、および図６に示す一時停止状態７１へ遷移したとき（遷移７３）の動作状態について詳説する。
【００７６】
当該音響再生装置の図示しない制御手段（検知手段）は、装着式音響出力装置が装着されている状態から未装着状態へ変化したことを捉えると、この未装着状態への変化に対応する緩衝状態（一時停止状態５１、７１もしくはステレオ再生かつ未装着側チャネルミュート状態５２）へ遷移し、かつカウント状態となり、所定時間が経過したとき、この未装着状態に対応する動作状態へ遷移するよう構成されている（再生動作停止かつスタンバイ状態への遷移５７、７５、もしくは装着側片チャネル再生状態への遷移６０）。
【００７７】
図７において、８０は再生動作状態、８１は設定された所定時間をカウントするカウント状態、８２は未装着状態に対応する動作状態である。
音響再生装置は、再生動作状態８０のときに、装着式音響出力装置が未装着状態となったことを示す情報を取得すると、直ちにこの未装着状態に対応する動作状態へ遷移するのではなく、一旦緩衝状態へ遷移し設定された所定時間のカウントを開始する（カウント状態８１）。ここで、カウントする所定時間は、装置製作メーカーが設定するだけではなく、装置使用者によっても設定できるものである。この未装着状態のまま、つまり装着式音響出力装置が通常の装着状態（ステレオタイプなら両側が装着されている状態、モノラルタイプなら装着されている状態）となったことを示す情報を取得しないまま、カウント状態８１で所定時間のカウントを完了すると、この未装着状態に対応する動作状態８３に遷移する。
【００７８】
以上のように、本実施の形態によれば、装着式音響出力装置が未装着状態となってから、この未装着状態に対応する動作状態に変化するまでの時間を可変にすることが可能となり、それによって、例えば装着式音響出力装置が何かの拍子に耳から外れてしまったときなどのように使用者が意図せずに未装着状態となった場合であっても、直ちに音響再生の停止等の動作状態へ遷移することがなくなるので、使用者の使用快適性を向上させることができる。
【００７９】
続いて、図５〜７に示した装着式音響出力装置の装着状態と当該音響再生装置の動作状態の装着式音響出力装置の形式ごとの対応の変更について図８を用いて説明する。図８は音響再生装置の動作状態遷移を使用者が変更するためのマンマシンインターフェースとしての液晶画面の表示例である。なお、この液晶表示画面は、音響再生装置などに設けられる。
【００８０】
図８（ａ）は、装着式音響出力装置の装着状態に応じて音響再生装置の動作状態を変化させるか否かを設定する画面である。図示しない入力手段により、この画面上で、装着状態による動作状態遷移を許可する（ＯＮ）か、許可しない（ＯＦＦ）かが選択され、音響再生装置に記憶される。
【００８１】
図８（ｂ）は、図８（ａ）において装着状態による動作状態遷移を許可する選択をした後に表示される画面であり、未装着情報を取得したときに、いずれの動作状態に遷移するかを設定する画面である。図示しない入力手段により、この画面上で、未装着情報を取得したとき、ミュート状態へ遷移する（Ｍｕｔｅ）か、一時停止状態へ遷移する（Ｐａｕｓｅ）か、再生動作停止かつスタンバイ状態へ遷移する（Ｓｔｏｐ＆Ｓｔａｎｄｂｙ）かが選択され、音響再生装置に記憶される。
【００８２】
図８（ｃ）は、音響再生装置が装着式音響出力装置から未装着状態の情報を取得してから図８（ｂ）で設定した動作状態へ遷移するまでの時間を設定する画面である。図示しない入力手段により、この画面上で、未装着情報を取得した後、何秒後に図８（ｂ）で設定した動作状態へ遷移するかが決定され、音響再生装置に記憶される。
【００８３】
図８（ｄ）は、装着式音響出力装置から形式情報を取得したとき、その形式情報により音響再生装置をどのような再生状態に遷移するのかを設定する画面である。図示しない入力手段により、この画面上で、取得した形式情報によりステレオ再生状態（Ｍａｉｎ  ａｕｄｉｏ  ｏｕｔｐｕｔ）にするのかモノラル再生状態（Ｓｕｂ  ａｕｄｉｏ  ｏｕｔｐｕｔ）にするのかが決定され、音響再生装置に記憶される。
【００８４】
以上のように、本実施の形態によれば、装着式音響出力装置から取得した装着状態情報と形式情報による音響再生装置の動作状態遷移を音響再生装置の各使用者が設定可能となるので、各使用者はそれぞれに最適な動作状態遷移を設定でき、したがって使用者の使用快適性を損なわずに、音響再生装置の余分な電力の消費を抑えることが可能となる。
【００８５】
【発明の効果】
以上のように、本発明によれば、装着式音響出力装置が耳に装着されているか否かを示す装着状態情報を音響再生装置へ提供することが可能となり、音響再生装置は、この装着状態情報に基づいて、例えば装着式音響出力装置が未装着の状態では音響再生を停止するといったように、装着式音響出力装置の装着状態に応じた効率的な動作状態へ自動的に遷移することが可能となるので、装着状態によっては不必要となる無駄な動作をなくし、余分な電力の消費を防止することが可能となる。
【００８６】
また、装着式音響出力装置がステレオタイプ、Ｒモノラルタイプ、Ｌモノラルタイプのいずれの形式であるかを示す形式情報を音響再生装置へ提供することが可能となり、音響再生装置は、この形式情報に基づいて、装着式音響出力装置の形式に応じた動作状態へ自動的に遷移することが可能となる。つまり、ステレオタイプの装着式音響出力装置が接続されたときにはステレオ再生状態へ、モノラルタイプの装着式音響出力装置が接続されたときにはモノラル再生状態へ自動的に遷移することが可能となるので、モノラルタイプの装着式音響出力装置が接続されているにも拘わらずステレオ再生を行うといった無駄な動作をなくし、余分な電力の消費を防止することが可能となる。
【００８７】
また、装着式音響出力装置の装着状態の情報と形式の情報を共に音響再生装置へ提供することが可能となり、音響再生装置は、この装着状態の情報と形式の情報に基づいて、形式および装着式音響出力装置の装着状態に応じた効率的な動作状態へ自動的に遷移することが可能となるので、形式や装着状態によっては不必要となる無駄な動作をなくし、余分な電力の消費を防止することが可能となる。
【図面の簡単な説明】
【図１】本発明の実施の形態における装着式音響出力装置から音響再生装置への装着状態情報の提供について説明するための図
【図２】本発明の実施の形態における装着式音響出力装置から音響再生装置への形式情報の提供について説明するための図
【図３】本発明の実施の形態における同一信号線（一つの信号線）による装着状態情報と形式情報の提供について説明するための図
【図４】本発明の実施の形態におけるクリップ式ヘッドホンを用いた装着式音響出力装置の構成の概略を示す図
【図５】本発明の実施の形態における音響再生装置のステレオタイプの装着式音響出力装置に対する動作状態遷移を示す図
【図６】本発明の実施の形態における音響再生装置のモノラルタイプの装着式音響出力装置に対する動作状態遷移を示す図
【図７】本発明の実施の形態における装着式音響出力装置が装着状態から未装着状態へ変化したときの音響再生装置の動作状態遷移について説明するための図
【図８】本発明の実施の形態における音響再生装置の動作状態遷移を使用者が変更するためのマンマシンインターフェースとしての液晶画面の表示例を示す図
（ａ）  装着式音響出力装置の装着状態に応じて音響再生装置の動作状態を変化させるか否かを設定する画面を示す図
（ｂ）  未装着情報を取得したときに再生状態からいずれの動作状態に遷移するかを設定する画面を示す図
（ｃ）  未装着状態の情報を取得してから図８（ｂ）で設定した動作状態へ遷移するまでの時間を設定する画面を示す図
（ｄ）  装着式音響出力装置から形式情報を取得したときその形式情報により音響再生装置をどのような再生状態に遷移するのかを設定する画面を示す図
【符号の説明】
１  イヤホン
２  スピーカー
３  耳介
４  接点スイッチ
５、５ａ、５ｂ  ＧＮＤライン
６、６ａ、６ｂ  音響信号ライン
７  音響再生装置
８、８ａ、８ｂ  状態信号ライン
９  プラグ部
１０  音響信号入力端子
１１、１１ａ、１１ｂ状態信号出力端子
１２ａ  Ｒチャネル認識用ライン
１２ｂ  Ｌチャネル認識用ライン
１３ａ  Ｒチャネル認識用端子
１３ｂ  Ｌチャネル認識用端子
１４ａ  Ｒチャネル側の抵抗
１４ｂ  Ｌチャネル側の抵抗
１５  内部電源ライン
１６  プルアップ抵抗
１７  状態信号ライン
１８  クリップ
１９  凹状の節点スイッチ
２０  突起
【図１】
2004153350.tif 000003
【図２】
2004153350.tif 000004
【図３】
2004153350.tif 000005
【図４】
2004153350.tif 000006
【図５】
2004153350.tif 000007
【図６】
2004153350.tif 000008
【図７】
2004153350.tif 000009
【図８】
2004153350.tif 000010